(57)【特許請求の範囲】
【請求項１】
電気機器に接続されるとともに、ネットワーク機器を介して携帯端末に接続される制御装置を備え、
前記制御装置は、
前記電気機器への直接の操作、又は、前記携帯端末とは別に前記電気機器に付属しているリモコンを介した操作によって前記電気機器が駆動した場合において、前記操作によって設定される操作設定値が格納される記憶部を有するとともに、制御部を有し、
前記携帯端末は、
自身の位置を示す位置情報を取得する位置情報取得部を備え、
前記ネットワーク機器を介して前記携帯端末から前記電気機器を遠隔操作するために送信される遠隔操作設定値とともに、前記位置情報取得部によって取得される前記位置情報を、前記ネットワーク機器を介して前記制御装置に送信し、
前記制御部は、前記携帯端末の位置が、前記電気機器が設置されている建物の付近であるか否かを前記位置情報に基づいて判定し、
前記携帯端末の位置が前記建物の付近であると判定した場合において、前記記憶部に格納されている前記操作設定値の中に、前記携帯端末から送信された前記遠隔操作設定値と一致するものが存在しないときには、前記制御部は、当該遠隔操作設定値を前記電気機器に送信し、さらに、当該遠隔操作設定値を新たな前記操作設定値として前記記憶部に格納し、
前記携帯端末の位置が前記建物の付近でないと判定した場合において、前記記憶部に格納されている前記操作設定値の中に前記遠隔操作設定値と一致するものが存在するときには、前記制御部は、当該遠隔操作設定値を前記電気機器に送信すること
を特徴とする電気機器制御システム。
【請求項２】
前記制御装置は、現在日時を示す日時情報を生成するリアルタイムクロックを有し、
前記制御部は、
前記操作によって前記電気機器が駆動した場合において、前記電気機器から前記操作設定値を受信した日時を示す前記日時情報を、前記操作設定値に対応付けて前記記憶部に格納し、
前記ネットワーク機器を介して前記携帯端末から前記遠隔操作設定値を受信し、さらに、前記携帯端末の位置が前記建物の付近でないと判定した場合において、前記遠隔操作設定値を受信した日の日付を含む過去の所定期間での前記操作設定値の中に、前記遠隔操作設定値と一致するものが存在するとき、当該遠隔操作設定値を前記電気機器に送信すること
を特徴とする請求項１に記載の電気機器制御システム。
【請求項３】
前記制御装置は、現在日時を示す日時情報を生成するリアルタイムクロックを有し、
前記制御部は、
前記操作によって前記電気機器が駆動した場合において、前記電気機器から前記操作設定値を受信した日時を示す前記日時情報を、前記操作設定値に対応付けて前記記憶部に格納し、
さらに、現時点までの所定期間における前記操作設定値のリストを前記記憶部から読み出し、前記遠隔操作設定値の選択肢として、前記リストを、前記ネットワーク機器を介して前記携帯端末に送信し、
前記携帯端末の位置が前記建物の付近でないと判定した場合において、前記リストの中からユーザの操作によって選択された前記遠隔操作設定値を前記携帯端末から受信したとき、前記記憶部の前記操作設定値の中に一致するものが存在している当該遠隔操作設定値を前記電気機器に送信すること
を特徴とする請求項１に記載の電気機器制御システム。
【請求項４】
前記制御装置は、現在日時を示す日時情報を生成するリアルタイムクロックを有し、
前記制御部は、
前記操作によって前記電気機器が駆動した場合において、前記電気機器から前記操作設定値を受信した日時を示す前記日時情報を、前記操作設定値に対応付けて前記記憶部に格納し、
さらに、現時点における最新の前記操作設定値を前記記憶部から読み出し、前記遠隔操作設定値の候補として、最新の前記操作設定値を前記ネットワーク機器を介して前記携帯端末に送信し、
前記携帯端末の位置が前記建物の付近でないと判定した場合において、ユーザの操作によって指定された最新の前記操作設定値を前記遠隔操作設定値として前記携帯端末から受信したとき、前記記憶部の前記操作設定値の中に一致するものが存在している当該遠隔操作設定値を前記電気機器に送信すること
を特徴とする請求項１に記載の電気機器制御システム。
【発明の詳細な説明】
【技術分野】
【０００１】
本発明は、電気機器制御システムに関する。
【背景技術】
【０００２】
宅内に設置された空気調和機等の電気機器を、携帯端末を用いて宅外から遠隔操作するシステムが知られている。例えば、特許文献１には、宅内外判別手段によって携帯端末が宅外にあると判別された場合、電気機器に対する遠隔制御可能な操作を制限することが記載されている。
【先行技術文献】
【特許文献】
【０００３】
【特許文献１】特開２０１４‐１９５１９６号公報
【発明の概要】
【発明が解決しようとする課題】
【０００４】
特許文献１に記載の技術では、例えば、ユーザが携帯端末を用いて宅外から冷房運転・暖房運転の設定温度を変更するといった操作が制限されるため、さらに利便性を高める余地がある。その一方で、ユーザの意図に反した電気機器の制御を防止することが望まれる。
【０００５】
そこで、本発明は、ユーザの意図に反した電気機器の制御を防止できるとともに、利便性の高い電気機器制御システムを提供することを課題とする。
【課題を解決するための手段】
【０００６】
前記した課題を解決するために、本発明は、電気機器に接続されるとともに、ネットワーク機器を介して携帯端末に接続される制御装置を備え、前記制御装置は、前記電気機器への直接の操作、又は、前記携帯端末とは別に前記電気機器に付属しているリモコンを介した操作によって前記電気機器が駆動した場合において、前記操作によって設定される操作設定値が格納される記憶部を有するとともに、制御部を有し、前記携帯端末は、自身の位置を示す位置情報を取得する位置情報取得部を備え、前記ネットワーク機器を介して前記携帯端末から前記電気機器を遠隔操作するために送信される遠隔操作設定値とともに、前記位置情報取得部によって取得される前記位置情報を、前記ネットワーク機器を介して前記制御装置に送信し、前記制御部は、前記携帯端末の位置が、前記電気機器が設置されている建物の付近であるか否かを前記位置情報に基づいて判定し、前記携帯端末の位置が前記建物の付近であると判定した場合において、前記記憶部に格納されている前記操作設定値の中に、前記携帯端末から送信された前記遠隔操作設定値と一致するものが存在しないときには、前記制御部は、当該遠隔操作設定値を前記電気機器に送信し、さらに、当該遠隔操作設定値を新たな前記操作設定値として前記記憶部に格納し、前記携帯端末の位置が前記建物の付近でないと判定した場合において、前記記憶部に格納されている前記操作設定値の中に前記遠隔操作設定値と一致するものが存在するときには、前記制御部は、当該遠隔操作設定値を前記電気機器に送信することを特徴とする。
【発明の効果】
【０００７】
本発明によれば、ユーザの意図に反した電気機器の制御を防止できるとともに、利便性の高い電気機器制御システムを提供できる。
【図面の簡単な説明】
【０００８】
【図１】本発明の第１実施形態に係る電気機器制御システムの構成図である。
【図２】電気機器制御システムが備える制御装置の機能ブロック図である。
【図３】電気機器の機能ブロック図である。
【図４】電気機器制御システムが備える携帯端末の機能ブロック図である。
【図５】（ａ）は制御装置の記憶部に格納されている操作設定値の説明図であり、（ｂ）は制御装置が電気機器から取得した今回の操作設定値の説明図であり、（ｃ）は携帯端末からの遠隔操作設定値の例を示す説明図であり、（ｄ）は携帯端末からの遠隔操作設定値の別の例を示す説明図である。
【図６】電気機器制御システムにおける通信シーケンスである。
【図７】電気機器制御システムの制御装置が実行する記憶処理のフローチャートである。
【図８】電気機器制御システムの制御装置が実行する確認処理のフローチャートである。
【図９】本発明の第２実施形態に係る電気機器制御システムが備える携帯端末の機能ブロック図である。
【図１０】電気機器制御システムの制御装置が実行する確認処理のフローチャートである。
【図１１】本発明の第３実施形態に係る電気機器制御システムが備える制御装置の機能ブロック図である。
【図１２】記憶部に格納されている操作設定値及び日時情報の例を示す説明図である。
【図１３】電気機器制御システムの制御装置が実行する確認処理のフローチャートである。
【図１４】本発明の第４実施形態に係る電気機器制御システムにおける通信シーケンスである。
【図１５】携帯端末における選択操作の説明図である。
【発明を実施するための形態】
【０００９】
以下の各実施形態は、一例として、リモコンＲｅ（図１参照）や携帯端末４１，４２（図１参照）からの信号に基づいて制御される電気機器Ｗ（図１参照）が、空気調和機である場合について説明する。
【００１０】
≪第１実施形態≫
＜電気機器制御システムの構成＞
図１は、第１実施形態に係る電気機器制御システム１００の構成図である。
電気機器制御システム１００は、建物Ｋの付近の携帯端末４１や、建物Ｋとは離れた場所の携帯端末４２から送信される信号に基づいて、電気機器Ｗを遠隔制御するシステムである。図１に示すように、電気機器制御システム１００は、制御装置１０と、ホームゲートウェイ２０（ネットワーク機器：図１では「ＨＧＷ」と記載）と、Ｗｅｂサーバ３０（ネットワーク機器）と、携帯端末４１，４２と、を備えている。
【００１１】
制御装置１０は、電気機器Ｗに接続され、この電気機器Ｗに所定の信号を送信したり、電気機器Ｗから運転状態を示す信号を受信したりするようになっている。また、制御装置１０は、宅内ネットワークＮ１を介して、建物Ｋの付近（建物Ｋ内を含む）の携帯端末４１に接続されている。宅内ネットワークＮ１は、例えば、無線ＬＡＮ接続用のアクセスポイントである。
【００１２】
また、制御装置１０は、宅内ネットワークＮ１、ホームゲートウェイ２０、宅外ネットワークＮ２、及びＷｅｂサーバ３０を介して、建物Ｋから離れた場所の携帯端末４２に接続されている。宅外ネットワークＮ２は、ホームゲートウェイ２０とＷｅｂサーバ３０と携帯端末４２との中継を行うためのインターネット等のネットワークである。
【００１３】
なお、建物Ｋ内に設置されている電気機器Ｗは、例えば、空気調和機であり、ユーザによるリモコンＲｅの操作に応じて、冷房運転・暖房運転・除湿運転等を行うようになっている。また、電気機器Ｗは、制御装置１０から所定の指令信号を受信した場合にも、この指令信号に応じて駆動するようになっている。
【００１４】
ホームゲートウェイ２０は、宅内ネットワークＮ１と宅外ネットワークＮ２との中継を行う装置である。
Ｗｅｂサーバ３０は、携帯端末４２から受信したデータや、制御装置１０からホームゲートウェイ２０等を介して受信したデータを記憶し、制御装置１０や携帯端末４２からの要求に応じて、前記したデータを適宜送信する機能を有している。
【００１５】
携帯端末４１は、例えば、スマートフォンや携帯電話であり、宅内ネットワークＮ１に接続されている。
携帯端末４２は、例えば、スマートフォンや携帯電話であり、宅外ネットワークＮ２に接続されている。
【００１６】
図２は、電気機器制御システム１００が備える制御装置１０の機能ブロック図である。図２に示すように、制御装置１０は、記憶部１０ａと、第一の通信部１０ｂと、第二の通信部１０ｃと、制御部１０ｄと、を備えている。
【００１７】
記憶部１０ａには、リモコンＲｅを介した操作（又は直接の操作）によって電気機器Ｗが駆動した場合において、前記した操作によって設定される操作設定値が格納されている。この「操作設定値」として、例えば、空気調和機である電気機器Ｗの運転モード・設定温度・風向・風量が挙げられるが、これに限定されるものではない。
【００１８】
その他、記憶部１０ａには、携帯端末４１，４２によって操作可能な電気機器の一覧や、電気機器の運転状態を示すデータ等が格納される。なお、記憶部１０ａとして、フラッシュメモリ、磁気ディスク、光ディスク等を用いることができる。
【００１９】
第一の通信部１０ｂは、例えば、Ｗｉ−Ｆｉ（登録商標）の規格に準拠した無線ＬＡＮ接続用のインタフェースを備え、宅内ネットワークＮ１（図１参照）を介してホームゲートウェイ２０との間でデータ通信を行う機能を有している。
第二の通信部１０ｃは、例えば、シリアル通信により電気機器Ｗとの間でデータ通信を行う機能を有している。
【００２０】
制御部１０ｄは、図示はしないが、マイコン（Microcomputer：図示せず）を備え、ＲＯＭ（Read Only Memory）に記憶されたプログラムを読み出してＲＡＭ（Random Access Memory）に展開し、ＣＰＵ（Central Processing Unit）が各種処理を実行するようになっている。制御部１０ｄは、第一の通信部１０ｂや第二の通信部１０ｃを介したデータ通信に基づき、電気機器Ｗを制御するための所定の処理を行う機能を有している。なお、制御部１０ｄが実行する処理については後記する。
【００２１】
図３は、電気機器Ｗの機能ブロック図である。
図３に示すように、電気機器Ｗは、通信部Ｗａと、受信部Ｗｂと、制御部Ｗｃと、を備えている。
通信部Ｗａは、制御装置１０との間でデータ通信を行うための通信機能を有する。
受信部Ｗｂは、例えば、赤外線受光素子であり、電気機器Ｗの運転／停止指令、設定温度の変更、タイマの設定、運転モードの変更等のデータをリモコンＲｅから受信するようになっている。
【００２２】
制御部Ｗｃは、図示はしないが、ＲＯＭ、ＲＡＭ、ＣＰＵ等の電子回路を含んで構成されている。制御部Ｗｃは、リモコンＲｅから受信部Ｗｂを介して受信したデータに基づき、電気機器Ｗが有する各機器（図示しない圧縮機、膨張弁、室内ファン、室外ファン等）を制御する機能を有している。また、制御部Ｗｃは、制御装置１０から通信部Ｗａを介して受信したデータに基づいて、前記した各機器を制御する機能も有している。
【００２３】
図４は、電気機器制御システム１００が備える携帯端末４１の機能ブロック図である。図４に示すように、携帯端末４１は、宅内通信部４１ａと、宅外通信部４１ｂと、操作・表示部４１ｃと、制御部４１ｄと、を備えている。
【００２４】
宅内通信部４１ａは、宅内ネットワークＮ１（図１参照）を介して制御装置１０との間でデータ通信を行う機能を有している。
宅外通信部４１ｂは、宅外ネットワークＮ２（図１参照）を介してＷｅｂサーバ３０との間でデータ通信を行う機能を有している。
【００２５】
操作・表示部４１ｃは、制御部４１ｄからの指令に基づく画面を表示したり、ユーザの操作を示す信号を制御部４１ｄに出力したりする機能を有している。
制御部４１ｄは、図示はしないが、ＲＯＭ、ＲＡＭ、ＣＰＵ等の電子回路を含んで構成されている。制御部４１ｄは、宅内通信部４１ａや宅外通信部４１ｂを介したデータのやり取りや、操作・表示部４１ｃでの操作に応じた処理を行う機能を有している。
なお、別の携帯端末４２（図１参照）については、前記した携帯端末４１と同様の構成であるから、説明を省略する。
【００２６】
次に、制御装置１０（図２参照）の記憶部１０ａに格納されているデータや、各機器の間の情報のやり取りについて説明する。
【００２７】
図５（ａ）は、制御装置１０の記憶部１０ａに格納されている操作設定値の説明図である。
図５（ａ）に示す例では、電気機器Ｗの運転モードの操作設定値として、暖房運転・冷房運転・除湿運転が、記憶部１０ａに格納されている。なお、「操作設定値」とは、リモコンＲｅを介した操作（又は、電気機器Ｗへの直接の操作）によって電気機器Ｗが駆動した場合における設定値である。本実施形態では、「操作設定値」の一例として、電気機器Ｗの運転モード・設定温度・風向・風量を用いるものとする。
【００２８】
ちなみに、運転モードも、制御装置１０において数値化されるため、前記した「操作設定値」に含まれる。また、制御装置１０は、電気機器Ｗに記憶されている操作設定値を所定周期で取得するようになっている。
【００２９】
図５（ａ）に示す例では、電気機器Ｗの設定温度の操作設定値として、２６℃、２５℃、２４℃、２３℃、２０℃、及び１８℃が格納されている。これは、リモコンＲｅの操作によって、これらの設定温度で過去に電気機器Ｗが駆動されたことを示している。その他、図５（ａ）に示す例では、制御装置１０の記憶部１０ａに、風向の操作設定値として自動・風よけが記憶され、風量の操作設定値として大・中・小が記憶されている。
【００３０】
本実施形態では、操作設定値である運転モード・設定温度・風向・風量が、それぞれ、別個に（互いに関連付けられずに）記憶される場合について説明する。
【００３１】
図６は、電気機器制御システム１００における通信シーケンスである（適宜、図１を参照）。なお、図６の紙面左側に記載した「携帯端末」は、図１に示す携帯端末４１，４２のうち任意のものを示している。
ステップＳ１０１においてリモコンＲｅは、ユーザの操作に応じて、所定の操作設定値を電気機器Ｗに送信する。
【００３２】
図５（ｂ）は、制御装置１０が電気機器Ｗから取得した今回の操作設定値の説明図である。つまり、図５（ｂ）は、前記したステップＳ１０１の処理によって、制御装置１０が電気機器Ｗから取得した最新の操作設定値を示している。
図５（ｂ）に示す例では、リモコンＲｅ（図１参照）を介した操作によって、運転モードとして暖房運転、設定温度２２℃、風向は「風よけ」、風量は「中」が設定されている。これらのひとつひとつが、リモコンＲｅの操作によって設定された「操作設定値」である。
【００３３】
図６のステップＳ１０２において制御装置１０は、電気機器Ｗへの操作確認を行う。前記した「操作確認」とは、リモコンＲｅから電気機器Ｗに新たに送信された操作設定値があるかを確認し、この操作設定値を電気機器Ｗから取得するための処理である。
【００３４】
ステップＳ１０３において制御装置１０は、電気機器Ｗから操作設定値を取得する。つまり、制御装置１０は、図５（ｂ）に示す操作設定値を電気機器Ｗから取得する。
ステップＳ１０４において制御装置１０は、記憶処理を実行する。
【００３５】
図７は、制御装置１０が実行する記憶処理のフローチャートである。
ステップＳ１０４１において制御装置１０は、制御部１０ｄによって、今回の操作設定値と、既に記憶している操作設定値と、を比較する。例えば、運転モードの操作設定値に関して、制御装置１０は、今回の操作設定値である「暖房運転」（図５（ｂ）参照）と、既に記憶している操作設定値である「暖房運転」・「冷房運転」・「除湿運転」（図５（ａ）参照）と、を比較する。
また、設定温度の操作設定値に関して、制御装置１０は、今回の操作設定値である設定温度２２℃（図５（ｂ）参照）と、既に記憶している操作設定値である設定温度２６℃、２５℃、２４℃、２３℃、２０℃、１８℃と、を比較する。なお、風向や風量についても同様である。
【００３６】
ステップＳ１０４２において制御装置１０は、制御部１０ｄによって、既に記憶している操作設定値の中に、今回の操作設定値と一致するものが存在するか否かを判定する。
例えば、設定温度の操作設定値に関しては、既に記憶している操作設定値（図５（ａ）参照）の中に、今回の操作設定値である設定温度２２℃（図５（ｂ）参照）と一致するものがない。
【００３７】
ステップＳ１０４２において、既に記憶している操作設定値の中に、今回の操作設定値と一致するものが存在しない場合（Ｓ１０４２：Ｎｏ）、制御装置１０の処理はステップＳ１０４３に進む。
【００３８】
ステップＳ１０４３において制御装置１０は、設定温度に関して、今回の操作設定値である設定温度２２℃（図５（ｂ）参照）を記憶する。つまり、制御装置１０は、今回の操作設定値を、新たな操作設定値として記憶部１０ａに追加する。このようにして制御装置１０は、電気機器Ｗへの直接又はリモコンＲｅを介した操作による操作設定値を記憶部１０ａに蓄積していく。なお、操作設定値の他の種別（運転モード・風向・風量）についても、ステップＳ１０４１〜Ｓ１０４３の処理が実行される。
【００３９】
また、ステップＳ１０４２において、運転モード・設定温度・風向・風量のいずれに関しても、既に記憶している操作設定値の中に、今回の操作設定値と一致するものが存在する場合（Ｓ１０４２：Ｙｅｓ）、制御装置１０は記憶処理を終了する（ＥＮＤ）。なお、図７に示す一連の記憶処理は、所定周期（例えば、数分ごと）で繰り返される。
【００４０】
次に、一例として、電気機器Ｗを遠隔操作するための遠隔操作設定値を、宅外の携帯端末４２（図１参照）から送信する場合について説明する。
図６のステップＳ２０１において携帯端末４２は、ユーザの操作に基づき、所定の遠隔操作設定値をＷｅｂサーバ３０に送信する。
【００４１】
図５（ｃ）は、携帯端末４２からの遠隔操作設定値の例を示す説明図である。つまり、図５（ｃ）は、前記したステップＳ２０１の処理によって、携帯端末４２からＷｅｂサーバ３０に送信された遠隔操作設定値を示している。
図５（ｃ）に示す例では、運転モードとして暖房運転、設定温度２０℃、風向は「風よけ」、風量は「小」の遠隔操作設定値が、携帯端末４２から送信されている。これらの遠隔操作設定値は、Ｗｅｂサーバ３０に記憶される。
【００４２】
図６のステップＳ２０２において制御装置１０は、Ｗｅｂサーバ３０への操作確認を行う。つまり、制御装置１０は、新たな遠隔操作設定値がＷｅｂサーバ３０に記憶されているか否かを確認する。なお、ステップＳ２０２の操作確認は、所定周期（例えば、数分ごと）で繰り返される。
【００４３】
ステップＳ２０３においてＷｅｂサーバ３０は、制御装置１０からの操作確認に応じて、携帯端末４２から受信した遠隔操作設定値を制御装置１０に送信する。
ステップＳ２０４において制御装置１０は、確認処理を実行する。
【００４４】
図８は、制御装置１０が実行する確認処理のフローチャートである。
ステップＳ２０４１において制御装置１０は、携帯端末４２から送信された遠隔操作設定値と、記憶部１０ａ（図２参照）に格納されている操作設定値と、を比較する。例えば、制御装置１０は、遠隔操作設定値（図５（ｃ）参照）である設定温度２０℃と、記憶部１０ａに格納されている操作設定値（図５（ａ）参照）である設定温度２６℃、２５℃、２４℃、２３℃、２０℃、１８℃と、を比較する。
【００４５】
ステップＳ２０４２において制御装置１０は、記憶部１０ａに格納されている操作設定値の中に、携帯端末４２から送信された遠隔操作設定値と一致するものが存在するか否かを判定する。例えば、設定温度に関しては、記憶部１０ａに蓄積されている操作設定値（図５（ａ）参照）の中に、遠隔操作設定値である設定温度２０℃（図５（ｃ）参照）に一致するものが存在している。また、運転モード、風向、風量についても同様である。
【００４６】
図５（ａ）、（ｃ）に示すように、運転モード・設定温度・風向・風量の全てにおいて、記憶部１０ａに格納されている操作設定値の中に遠隔操作設定値と一致するものが存在している場合（Ｓ２０４２：Ｙｅｓ）、制御装置１０の処理はステップＳ２０４３に進む。
【００４７】
この場合、電気機器Ｗの運転モード・設定温度・風向・風量のいずれについても、過去に宅内のリモコンＲｅで設定された値であるから、信頼性が高い。つまり、携帯端末４２を操作しているのは、悪意の第三者ではなく、建物Ｋ（図１参照）に出入りするユーザである可能性が高い。したがって、ステップＳ２０４３において制御装置１０は、携帯端末４２からの遠隔操作設定値を電気機器Ｗに送信する。これによって、携帯端末４２を用いて、電気機器Ｗの設定温度の変更等を遠隔操作で行うことができる。
【００４８】
また、ステップＳ２０４２において、運転モード・設定温度・風向・風量のうち少なくとも一つにおいて、記憶部１０ａに格納されている操作設定値の中に遠隔操作設定値と一致するものが存在しない場合（Ｓ２０４２：Ｎｏ）、制御装置１０は確認処理を終了する（ＥＮＤ）。
【００４９】
ステップＳ２０４の確認処理（図６参照）を行った後、図６のステップＳ２０５において制御装置１０は、前記したように、電気機器Ｗに遠隔操作設定値を送信する。これによって、電気機器Ｗが、携帯端末４２からの遠隔操作設定値に基づいて駆動する。
ステップＳ２０６において制御装置１０は、遠隔操作設定値に基づいて電気機器Ｗが正常に駆動しているかを確認するために、電気機器Ｗに状態確認の信号を送信する。
【００５０】
ステップＳ２０７において電気機器Ｗは、ステップＳ２０６の状態確認に応じて、自身が受信した遠隔操作設定値を制御装置１０に送信する。
ステップＳ２０８において制御装置１０は、Ｗｅｂサーバ３０に結果通知（可）を送信する。前記した「結果通知」とは、携帯端末４２の操作に基づいて、電気機器Ｗが正常に駆動しているか否かを通知するものである。
【００５１】
ステップＳ２０９においてＷｅｂサーバ３０は、ステップＳ２０８で制御装置１０から受信した結果通知（可）を、携帯端末４２に送信する。これによって、携帯端末４２を操作しているユーザは、自身の遠隔操作によって電気機器Ｗが正常に駆動していることを確認できる。
【００５２】
次に、悪意の第三者が、携帯端末４２を用いて遠隔操作を試みた場合について説明する。
図６のステップＳ３０１において携帯端末４２は、第三者の操作に基づいて、所定の遠隔操作設定値をＷｅｂサーバ３０に送信する。
【００５３】
図５（ｄ）は、携帯端末４２からの遠隔操作設定値の別の例を示す説明図である。
図５（ｄ）に示す例では、運転モードとして暖房運転、設定温度４０℃、風向は「自動」、風量は「大」の遠隔操作設定値が携帯端末４２から送信されている。
【００５４】
図６のステップＳ３０２において制御装置１０は、Ｗｅｂサーバ３０への操作確認を行う。
ステップＳ３０３においてＷｅｂサーバ３０は、制御装置１０からの操作確認に応じて、携帯端末４２から受信した遠隔操作設定値を制御装置１０に送信する。
【００５５】
ステップＳ３０４において制御装置１０は、確認処理を実行する。なお、ステップＳ３０４の確認処理は、前記したステップＳ２０４の確認処理（図８のＳ２０４１〜Ｓ２０４３を参照）と同様である。
例えば、設定温度に関して、記憶部１０ａに格納されている操作設定値（図５（ａ）参照）の中には、ステップＳ３０１で送信された遠隔操作設定値（図５（ｄ）参照）の設定温度４０℃に一致するものがない。つまり、建物Ｋ（図１参照）でのリモコンＲｅの操作によって、設定温度４０℃で電気機器Ｗが駆動されたことは過去に一度もない。したがって、図５（ｄ）に示す遠隔操作設定値は、悪意の第三者によって設定された可能性が高いといえる。このような場合、制御装置１０は、この遠隔操作設定値を電気機器Ｗに送信しないようにする（図８のＳ２０４２：Ｎｏ、ＥＮＤ）。これによって、ユーザの意図に反して電気機器Ｗが駆動することを防止できる。
【００５６】
図６のステップＳ３０４の確認処理を行った後、ステップＳ３０５において制御装置１０は、ステップＳ３０１で送信された遠隔操作設定値は無効である旨の結果通知（不可）をＷｅｂサーバ３０に送信する。
【００５７】
ステップＳ３０６においてＷｅｂサーバ３０は、ステップＳ３０５で受信した結果通知（不可）を携帯端末４２に送信する。これによって、設定温度４０℃の空調は無効である旨が、携帯端末４２の画面に表示される。
【００５８】
＜効果＞
本実施形態によれば、過去に宅内のリモコンＲｅで設定された操作設定値に一致する遠隔操作設定値が携帯端末４２から送信された場合（Ｓ２０４２：Ｙｅｓ）、この遠隔操作設定値が電気機器Ｗに送信される（Ｓ２０４３）。したがって、携帯端末４２を用いて、電気機器Ｗの設定温度の変更等を遠隔操作できるため、電気機器制御システム１００の利便性を従来よりも高めることができる。
【００５９】
また、過去に宅内のリモコンＲｅで設定された操作設定値に一致しない遠隔操作設定値が携帯端末４２から送信された場合（Ｓ２０４２：Ｎｏ）、この遠隔操作設定値が無効として扱われる。つまり、ユーザがリモコンＲｅを用いて過去に設定したことのない値の遠隔操作設定値では、家電機器Ｗを制御できないようにしている。これによって、ユーザの意図に反して、悪意の第三者によって電気機器Ｗが駆動されることを防止できる。
【００６０】
≪第２実施形態≫
第２実施形態は、携帯端末４１Ａ（図９参照）が、自身の位置情報を取得する位置情報取得部４１ｅ（図９参照）を備える点が、第１実施形態とは異なっている。また、第２実施形態は、携帯端末４１Ａの位置が建物Ｋ（図１参照）の付近である場合には、この携帯端末４１ＡをリモコンＲｅと同様の扱いにする点が、第１実施形態とは異なっている。なお、その他については第１実施形態と同様である。したがって、第１実施形態とは異なる部分について説明し、重複する部分については説明を省略する。
【００６１】
図９は、第２実施形態に係る電気機器制御システムが備える携帯端末４１Ａの機能ブロック図である。
図９に示すように、携帯端末４１Ａは、宅内通信部４１ａと、宅外通信部４１ｂと、操作・表示部４１ｃと、制御部４１ｄと、位置情報取得部４１ｅを備えている。
【００６２】
位置情報取得部４１ｅは、例えば、ＧＰＳレシーバ（Global Positioning System Receiver）から、自身の位置を示す位置情報を取得する機能を有している。また、携帯端末４１Ａは、位置情報取得部４１ｅによって取得した位置情報を、第１実施形態で説明した遠隔操作設定値とともに、Ｗｅｂサーバ３０等を介して制御装置１０に送信するようになっている。
【００６３】
なお、第２実施形態では、第１実施形態で説明した一連の通信シーケンス（図６参照）のうち、確認処理（Ｓ２０４、Ｓ３０４）の内容が異なるが、その他については第１実施形態と同様である。したがって、以下では、制御装置１０が実行する確認処理（Ｓ２０４、Ｓ３０４）について説明する。
【００６４】
図１０は、電気機器制御システムの制御装置１０が実行する確認処理のフローチャートである。
ステップＳ２０４５において制御装置１０は、携帯端末４１Ａの位置が建物Ｋ（図１参照）の付近であるか否かを判定する。つまり、制御装置１０は、携帯端末４１Ａの位置が、電気機器Ｗが設置されている建物Ｋの付近であるか否かを、前記した位置情報に基づいて判定する。なお、制御装置１０の記憶部１０ａ（図２参照）には、電気機器Ｗが設置されている建物Ｋの位置を示す情報が格納されている。
【００６５】
ステップＳ２０４５において携帯端末４１Ａの位置が建物Ｋの付近である場合（Ｓ２０４５：Ｙｅｓ）、制御装置１０の処理はステップＳ２０４６に進む。
ステップＳ２０４６において制御装置１０は、携帯端末４１Ａからの遠隔操作設定値を電気機器Ｗに送信する。この場合には、建物Ｋの中にいるユーザが携帯端末４１Ａを操作している可能性が高いため、この携帯端末４１ＡをリモコンＲｅと同様の扱いにする。つまり、携帯端末４１Ａからの遠隔操作設定値に基づいて、電気機器Ｗが駆動される。
【００６６】
ステップＳ２０４７において制御装置１０は、携帯端末４１Ａからの遠隔操作設定値と、記憶部１０ａに記憶されている操作設定値と、を比較する。なお、ステップＳ２０４７の処理は、空気調和機である電気機器Ｗの運転モード・設定温度・風向・風量のそれぞれについて行われる（Ｓ２０４８についても同様）。
ステップＳ２０４８において制御装置１０は、記憶部１０ａに格納されている操作設定値の中に、携帯端末４１Ａから送信された遠隔操作設定値と一致するものが存在するか否かを判定する。
【００６７】
ステップＳ２０４８で運転モード・設定温度・風向・風量の全てにおいて、操作設定値の中に、携帯端末４１Ａからの遠隔操作設定値と一致するものが存在する場合（Ｓ２０４８：Ｙｅｓ）、制御装置１０は確認処理を終了する（ＥＮＤ）。
ステップＳ２０４８で運転モード・設定温度・風向・風量の少なくとも一つについて、操作設定値の中に、携帯端末４１Ａからの遠隔操作設定値と一致するものがない場合（Ｓ２０４８：Ｎｏ）、制御装置１０の処理はステップＳ２０４９に進む。
【００６８】
ステップＳ２０４９において制御装置１０は、携帯端末４１Ａからの遠隔操作設定値を新たな操作設定値として記憶部１０ａに格納する。前記したように、携帯端末４１Ａの位置が建物Ｋの付近であるため（Ｓ２０４５：Ｙｅｓ）、この携帯端末４１ＡをリモコンＲｅと同様の扱いにして、遠隔操作設定値を新たな操作設定値として蓄積するようにしている。これによって、リモコンＲｅからの操作設定値に加えて、建物Ｋの付近にある携帯端末４１Ａからの遠隔操作設定値も、記憶部１０ａに蓄積できる。
【００６９】
また、ステップＳ２０４５において携帯端末４１Ａの位置が建物Ｋの付近でない場合（Ｓ２０４５：Ｎｏ）、制御装置１０の処理はステップＳ２０４１に進む。
【００７０】
なお、ステップＳ２０４１〜Ｓ２０４３については、第１実施形態で説明した確認処理（図８参照）と同様である。つまり、制御装置１０は、記憶部１０ａに格納されている操作設定値の中に、携帯端末４１Ａから送信された遠隔操作設定値と一致するものが存在するとき（Ｓ２０４２：Ｙｅｓ）、この遠隔操作設定値を電気機器Ｗに送信する（Ｓ２０４３）。
【００７１】
＜効果＞
本実施形態によれば、建物Ｋの付近の携帯端末４１ＡをリモコンＲｅと同様の扱いにすることで、携帯端末４１Ａからの遠隔操作設定値を記憶部１０ａに蓄積できる。
また、携帯端末４１Ａの位置が建物Ｋの付近でない場合には、第１実施形態で説明したステップＳ２０４１〜Ｓ２０４３の処理を行うことで、ユーザの意図に反して電気機器Ｗが駆動されることを防止できる。
【００７２】
≪第３実施形態≫
第３実施形態は、リアルタイムクロック１０ｅ（図１１参照）からの日時情報に基づいて、携帯端末４２からの遠隔操作設定値を電気機器Ｗの制御に反映させるか否かを判定する点が、第１実施形態とは異なっている。なお、その他については第１実施形態と同様である。したがって、第１実施形態とは異なる部分について説明し、重複する部分については説明を省略する。
【００７３】
図１１は、第３実施形態に係る電気機器制御システムが備える制御装置１０Ｂの機能ブロック図である。
図１１に示すように、制御装置１０Ｂは、記憶部１０ａと、第一の通信部１０ｂと、第二の通信部１０ｃと、制御部１０ｄと、リアルタイムクロック１０ｅと、電源１０ｆと、を備えている。
【００７４】
リアルタイムクロック１０ｅは、現在日時を示す日時情報を生成する機能を有している。制御部４１ｄは、リモコンＲｅの操作（又は直接の操作）によって電気機器Ｗが駆動した場合において、電気機器Ｗから操作設定値を受信した日時を示す日時情報を、この操作設定値に対応付けて記憶部１０ａに格納する。
【００７５】
電源１０ｆは、リアルタイムクロック１０ｅに接続されている。そして、制御装置１０Ｂが電源オフの状態のときにも、この電源１０ｆからリアルタイムクロック１０ｅに電力が供給されるようになっている。
【００７６】
図１２は、記憶部１０ａに格納されている操作設定値及び日時情報の例を示す説明図である。
図１２に示すように、電気機器Ｗの操作設定値である運転モード・設定温度・風向・風量と、日時情報と、が対応付けられて記憶部１０ａに格納されている。この日時情報は、リアルタイムクロック１０ｅから制御部１０ｄが取得した情報である。記憶部１０ａには、例えば、過去数年間に亘る操作設定値が、日時情報と対応付けて記憶されている。
【００７７】
なお、第３実施形態では、第１実施形態で説明した一連の通信シーケンス（図６参照）のうち、確認処理（Ｓ２０４）の内容が異なるが、その他については第１実施形態と同様である。したがって、以下では、制御装置１０Ｂが実行する確認処理（Ｓ２０４）について説明する。
【００７８】
図１３は、制御装置１０Ｂが実行する確認処理のフローチャートである。
ステップＳ２０４ａにおいて制御装置１０Ｂは、携帯端末４２からの遠隔操作設定値を受信した日の日付を含む過去の所定期間の操作設定値を、記憶部１０ａから読み出す。例えば、制御装置１０Ｂは、遠隔操作設定値を取得した日とカレンダー上で同じ日付における操作設定値、及び、この日付の前後２週間の操作設定値を記憶部１０ａから読み出す。
【００７９】
ステップＳ２０４ｂにおいて制御装置１０Ｂは、ステップＳ２０４ａで読み出した所定期間内の操作設定値と、携帯端末４２からの遠隔操作設定値と、を比較する。なお、第３実施形態では、前記したように、運転モード・設定温度・風向・風量の操作設定値と、日時情報と、が対応付けられている（図１２参照）。したがって、第３実施形態では、第１、第２実施形態とは異なり、運転モード・設定温度・風向・風量が一組の操作設定値として扱われる。
【００８０】
ステップＳ２０４ｃにおいて制御装置１０Ｂは、ステップＳ２０４ａで読み出した過去の所定期間における操作設定値の中に、携帯端末４２からの遠隔操作設定値に一致するものが存在するか否かを判定する。
過去の所定期間における操作設定値の中に、携帯端末４２からの遠隔操作設定値に一致するものが存在する場合（Ｓ２０４ｃ：Ｙｅｓ）、制御装置１０Ｂの処理はステップＳ２０４ｄに進む。この場合、過去の同じ季節での操作設定値と、遠隔操作設定値と、が一致している。したがって、遠隔操作設定値に基づいて、冬季に冷房運転が行われたり、また、夏季に暖房運転が行われたりすることはほとんどない。つまり、悪意の第三者によって携帯端末４２が操作されている可能性は低いといえる。
【００８１】
ステップＳ２０４ｄにおいて制御装置１０Ｂは、携帯端末４２からの遠隔操作設定値を電気機器Ｗに送信する。これによって、携帯端末４２の操作で電気機器Ｗが遠隔制御される。
【００８２】
また、ステップＳ２０４ｃにおいて、過去の所定期間における操作設定値の中に、携帯端末４２からの遠隔操作設定値に一致するものが存在しない場合（Ｓ２０４ｃ：Ｎｏ）、制御装置１０Ｂは確認処理を終了する（ＥＮＤ）。つまり、制御装置１０は、携帯端末４２からの遠隔操作設定値を無効として扱う。これによって、ユーザの意図に反して電気機器Ｗが遠隔制御されることを防止できる。
【００８３】
＜効果＞
本実施形態によれば、遠隔操作設定値を受信した日の日付を含む過去の所定期間での操作設定値に基づいて、遠隔操作設定値を電気機器Ｗの制御に反映させるか否かが判定される。したがって、例えば、現在が夏季であるにもかかわらず、悪意の第三者によって暖房運転が実行されたり、設定温度が異常に高く設定されたりすることを防止できる。つまり、ユーザの意図に反して電気機器Ｗが遠隔制御されることを防止できる。
【００８４】
≪第４実施形態≫
第４実施形態は、現時点までの所定期間における操作設定値のリストを、遠隔操作設定値の選択肢として携帯端末４２に送信する点が第３実施形態とは異なっているが、電気機器制御システム１００の構成（図１、図１１参照）については第３実施形態と同様である。つまり、第４実施形態でも、電気機器Ｗから操作設定値を受信した日時を示す日時情報が、操作設定値に対応付けて記憶部１０ａに格納されるようになっている（図１２参照）。したがって、以下では、第１実施形態とは異なる部分について説明し、重複する部分については説明を省略する。
【００８５】
図１４は、第４実施形態に係る電気機器制御システムにおける通信シーケンスである。なお、図１４に示すステップＳ１０１〜Ｓ１０４については、第１実施形態（図６参照）と同様であるから、説明を省略する。
【００８６】
図１４のステップＳ３０１において制御装置１０Ｂは、所定期間における操作設定値のリストをＷｅｂサーバ３０に送信する。より詳しく説明すると、制御装置１０Ｂは、現時点までの所定期間（例えば、最近の１か月間）における操作設定値のリストを記憶部１０ａから読み出し、携帯端末４２からの遠隔操作設定値の選択肢として、前記したリストをＷｅｂサーバ３０に送信する。なお、ステップＳ３０１の処理は、所定周期で繰り返される。
【００８７】
ステップＳ３０２においてＷｅｂサーバ３０は、ステップＳ３０１で制御装置１０Ｂから受信した操作設定値のリストを記憶する。
ステップＳ３０３において携帯端末４２は、操作設定値を取得するための信号をＷｅｂサーバ３０に送信する。なお、ステップＳ３０３の処理は、携帯端末４２における所定の操作をトリガとして実行される。
【００８８】
ステップＳ３０４においてＷｅｂサーバ３０は、ステップＳ３０３の処理に応じて、所定期間における操作設定値のリストを携帯端末４２に送信する。
ステップＳ３０５において携帯端末４２では、ユーザの操作によって、所定の選択操作がなされる。
【００８９】
図１５は、携帯端末４２における選択操作の説明図である。
図１５に示す例では、ユーザの最近の設定情報（つまり、操作設定値のリスト）として、運転モードは暖房運転、設定温度は２６℃、２４℃、２２℃、風向は自動、風よけが表示されている。前記したステップＳ３０５では、図１５に示す操作設定値の選択肢の中から、ユーザが希望する設定温度、風向等が選択される。
【００９０】
再び、図１４に戻って説明を続ける。
ステップＳ３０６において携帯端末４２は、ステップＳ３０５の選択操作に基づく遠隔操作設定値をＷｅｂサーバ３０に送信する。
ステップＳ３０７においてＷｅｂサーバ３０は、携帯端末４２から受信した遠隔操作設定値を制御装置１０Ｂに送信する。
ステップＳ３０８において制御装置１０Ｂは、Ｗｅｂサーバ３０から受信した遠隔操作設定値を電気機器Ｗに送信する。これによって、携帯端末４２における選択操作に基づいて、電気機器Ｗが駆動する。
【００９１】
＜効果＞
本実施形態によれば、電気機器Ｗへの直接の操作や、リモコンＲｅを用いた操作に基づく最近の所定期間の操作設定値が、遠隔操作設定値のリストとして携帯端末４２に表示される（図１５参照）。したがって、ユーザは、携帯端末４２を用いて所定の選択操作を行えばよいため、ユーザにとっての利便性を向上できる。
【００９２】
また、本実施形態では、携帯端末４２に表示されるリスト以外の値を遠隔操作設定値として設定することを許容しないようにしている。したがって、悪意の第三者が遠隔操作設定値として異常な値を設定することを防止し、ひいては、ユーザの意図に反して電気機器Ｗが遠隔制御されることを防止できる。
【００９３】
≪変形例≫
以上、本発明に係る電気機器制御システム１００について各実施形態により説明したが、本発明はこれらの記載に限定されるものではなく、種々の変更を行うことができる。
例えば、第１、第２実施形態では、操作設定値として運転モード・設定温度・風向・風量を用いる場合について説明したが、これに限らない。すなわち、操作設定値の種類は、使用条件等に応じて適宜変更できる。
【００９４】
また、第１、第２実施形態では、運転モード・設定温度・風向・風量をそれぞれ別の操作設定値として扱う場合について説明したが（図５（ａ）参照）、これに限らない。すなわち、第１、第２実施形態においても、第３実施形態と同様に、運転モード・設定温度・風向・風量を一組の操作設定値として扱うようにしてもよい。
【００９５】
また、第２実施形態では、携帯端末４１Ａ（図９参照）が備える位置情報取得部４１ｅで取得した位置情報を制御装置１０へ送信し、制御装置１０で携帯端末４１Ａが建物Ｋの付近か否かを判定したが、これに限らない。例えば、無線ＬＡＮ接続用のインターフェースを備えた携帯端末４１Ａの宅内通信部４１ａから宅内ネットワークＮ１を介して制御装置１０に送信される遠隔操作設定値には、無線ＬＡＮ経由で発信された発信元情報が付加されており、制御装置１０は前記発信元情報から携帯端末４１Ａが建物Ｋの付近か否かを判定してもよい。
【００９６】
また、第４実施形態では、最近の所定期間における操作設定値のリストを、遠隔操作設定値の選択肢として携帯端末４２に送信する処理（Ｓ３０１：図１４参照）について説明したが、これに限らない。例えば、最も新しい操作設定値のみを携帯端末４１に送信するようにしてもよい。この場合において携帯端末４１の画面には、最新の操作設定値を表示し、「最新の設定情報で電気機器Ｗを駆動しますか？」といったメッセージが表示される。ユーザは、「はい」／「いいえ」の選択を行えばよいため、ユーザの使い勝手を向上できる。
【００９７】
また、各実施形態は、適宜組み合わせることができる。例えば、第２実施形態と第３実施形態とを組み合わせ、建物Ｋの付近の携帯端末４１ＡをリモコンＲｅと同様の扱いにするとともに（第２実施形態）、携帯端末４１Ａから遠隔操作設定値を受信した日の日付に基づいて、この遠隔操作設定値を電気機器Ｗの制御に反映させるようにしてもよい（第３実施形態）。
【００９８】
また、各実施形態では、電気機器Ｗが空気調和機である場合について説明したが、これに限らない。すなわち、照明器具や冷凍装置等、他の機器にも各実施形態を適用できる。
また、各実施形態では、制御装置１０と電気機器Ｗとが別体である構成（図１参照）について説明したが、これらを一体化してもよい。
【００９９】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【０１００】
１００  電気機器制御システム
１０，１０Ｂ  制御装置
１０ａ  記憶部
１０ｄ  制御部
１０ｅ  リアルタイムクロック
１０ｆ  電源
２０    ホームゲートウェイ（ネットワーク機器）
３０    Ｗｅｂサーバ（ネットワーク機器）
４１，４１Ａ，４２  携帯端末
４１ｅ  位置情報取得部
Ｋ      建物
Ｎ１    宅内ネットワーク
Ｎ２    宅外ネットワーク
Ｒｅ    リモコン
Ｗ      電気機器
【図１】
0006486293.tif 000002
【図２】
0006486293.tif 000003
【図３】
0006486293.tif 000004
【図４】
0006486293.tif 000005
【図５】
0006486293.tif 000006
【図６】
0006486293.tif 000007
【図７】
0006486293.tif 000008
【図８】
0006486293.tif 000009
【図９】
0006486293.tif 000010
【図１０】
0006486293.tif 000011
【図１１】
0006486293.tif 000012
【図１２】
0006486293.tif 000013
【図１３】
0006486293.tif 000014
【図１４】
0006486293.tif 000015
【図１５】
0006486293.tif 000016